(57)【要約】【課題】擁壁用ブロックは小型で、砕石、栗石等の中詰材は少量であるにも拘わらず、高い擁壁であっても土圧に対して十分な耐性を有し、安定性の高い擁壁を提供する。【解決手段】可撓性樹脂材料製の格子状枠構造体（１６）とコンクリート製の擁壁用ブロック（１）とを使用する。格子状枠構造体（１６）を複数段重ねて、その内部と法面（２４）との間に中詰材を充填して保護基礎（１６Ａ）を形成する。保護基礎（１６Ａ）の前方に隣接して擁壁用ブロック（１）を敷設してその内部に中詰材を充填して擁壁基礎（１Ａ）を形成する。保護基礎（１６Ａ）と擁壁基礎（１Ａ）とからなる擁壁構造体（３０ａ）を、法面（２４）に沿って横方向には保護基礎（１６Ａ）の後方下端部が法面（２４）に隣接するようにして複数個、縦方向には同様に隣接するようにして複数段に構築する。【選択図】   図２
2010275815.tif 000002
【特許請求の範囲】
【請求項１】
その上下面が開口したハニカム構造または網目構造を呈するように形成されている可撓性樹脂材料からなるシート状の格子状枠構造体と、
その上下面が開口するように表面部と背面部とこれらの面部を繋いでいる繋ぎ部とから構成されているコンクリート製の擁壁用ブロックとを使用して、切土工事、盛土工事等の工事により生じる法面の崩落を防止する擁壁を構築する方法において、
前記格子状枠構造体を、その後端部が前記法面に隣接するようにして前記法面に沿って横方向に必要な枚数だけ敷設し、その内部に土砂、栗石等の第１の中詰材を充填して１層目の保護層を形成し、前記１層目の保護層の上に整合するようにして前記格子状枠構造体を敷設し、その内部に前記第１の中詰材を充填して２層目の保護層を形成し、以下同様にして、前記擁壁用ブロックの高さと実質的に等しい高さになるように複数層の保護層を形成し、また、複数の保護層と前記法面との間の空間に前記第１の中詰材を充填して複数の保護層と背面側の中詰材とからなる第１段目の保護基礎を構築し、
必要個数の前記擁壁用ブロックを、前記第１段目の保護基礎の前方に、これに隣接して横方向に順次突き合わせて敷設し、敷設した前記複数個の擁壁用ブロックの内側に、これらの擁壁用ブロックの高さまで砕石、栗石等の第２の中詰材を充填して擁壁基礎を構築し、前記保護基礎と擁壁基礎とにより１段目の擁壁を構成し、
前記１段目の擁壁の上に、前記格子状枠構造体を、その後端部が前記法面に隣接するようにして前記法面に沿って横方向に必要な枚数だけ敷設し、その内部に土砂、栗石等の第１の中詰材を充填して１層目の保護層を形成し、形成された前記１層目の保護層の上に整合するようにして前記格子状枠構造体を複数枚横方向に並べて敷き、その内部に前記第１の中詰材を充填して２層目の保護層を形成し、以下同様にして、前記擁壁用ブロックの高さと実質的に等しい高さになるように複数層の保護層を形成し、複数の保護層と前記法面との間の空間に前記第１の中詰材を充填して複数の保護層と背面側の中詰材とからなる第２段目の保護基礎を構築し、
必要個数の前記擁壁用ブロックを、前記第２段目の保護基礎の前方に、これに隣接して横方向に順次突き合わせて敷設し、敷設した前記複数個の擁壁用ブロックの内側に、これらの擁壁用ブロックの高さまで砕石、栗石等の第２の中詰材を充填して擁壁基礎を構築し、前記保護基礎と擁壁基礎とにより２段目の擁壁を構成し、
以下同様にして複数段の擁壁を構築することを特徴とする擁壁の構築方法。
【請求項２】
請求項１に記載の擁壁の構築方法において、請求項１に記載の格子状枠構造体に代えて使用済みのタイヤを使用することを特徴とする擁壁の構築方法。
【請求項３】
その上下面が開口したハニカム構造または網目構造を呈するように形成されている可撓性樹脂材料からなるシート状の格子状枠構造体と、
その上下面が開口するように表面部と背面部とこれらの面部を繋いでいる繋ぎ部とから構成されているコンクリート製の擁壁用ブロックとを使用して、切土工事、盛土工事等の工事により生じる法面の崩落を防止する擁壁を構築する方法において、
必要個数の前記擁壁用ブロックを、その後方下端部が前記法面に隣接するようにして該法面に沿って横方向に敷設し、敷設した擁壁用ブロックの内側と、該擁壁用ブロックと法面との間に所定高さまで砕石、栗石等の第２の中詰材を充填して１段目の下部擁壁を構築し、
次いで、前記１段目の下部擁壁の上に、必要個数の前記擁壁用ブロックを、その後方下端部が前記法面に隣接するよう後方へずらして該法面に沿って横方向に敷設し、敷設した擁壁用ブロックの内側と、該擁壁用ブロックと法面との間に所定高さまで砕石、栗石等の第２の中詰材を充填して２段目の下部擁壁を構築し、以下同様にして、前記法面に沿って複数段からなる下部擁壁を構築し、
必要枚数の前記格子状枠構造体を、前記下部擁壁の最上段の下部擁壁の上に、その後端部が前記法面に隣接するようにして該法面に沿って横方向に並べて敷設し、その内部に土砂、栗石等の第１の中詰材を充填して１層目の上部擁壁を構築し、前記１層目の上部擁壁の上に、必要枚数の前記格子状枠構造体を、その下方後端部が前記法面に隣接するようにして該法面に沿って横方向に並べて敷設し、その内部に前記第１の中詰材を充填して２層目の上部擁壁を構築し、以下同様にして、前記法面に沿って複数層からなる上部擁壁を構築して、前記複数段からなる下部擁壁と前記複数層の上部擁壁とからなる擁壁を形成することを特徴とする、擁壁の構築方法。
【請求項４】
その上下面が開口したハニカム構造または網目構造を呈するように形成されている可撓性樹脂材料からなるシート状の格子状枠構造体と、その上下面が開口するように表面部と背面部とこれらの面部を繋いでいる繋ぎ部とから構成されているコンクリート製の擁壁用ブロックとから構築されている擁壁であって、
該擁壁は、前記格子状枠構造体がその後方下端部が前記法面に隣接して上下方向に整列した状態で複数個積み重ねられ、その内部および積み重ねられた格子状枠構造体と前記法面との間に土砂、栗石等の第１の中詰材が充填されている保護基礎と、
前記擁壁用ブロックがその後端部が前記保護基礎の前方に隣接して敷設され、その内部に砕石、栗石等の第２の中詰材が充填されている擁壁基礎とからなる擁壁構造体が、
前記法面に沿って横方向には前記保護基礎の後方下端部が前記法面に隣接するようにして複数個、縦方向には同様に隣接するようにして複数段に構築されていることを特徴とする擁壁。
【請求項５】
請求項４に記載の擁壁において、前記保護基礎が請求項４の格子状枠構造体に代えて使用済みのタイヤにより構築されていることを特徴とする擁壁。
【請求項６】
その上下面が開口したハニカム構造または網目構造を呈するように形成されている可撓性樹脂材料からなるシート状の格子状枠構造体と、その上下面が開口するように表面部と背面部とこれらの面部を繋いでいる繋ぎ部とから構成されているコンクリート製の擁壁用ブロックとから構築されている擁壁であって、
該擁壁は、前記擁壁用ブロックがその後方下端部が前記法面に隣接するようにして横方向には複数個、縦方向に複数段に配置され、その内側および前記擁壁用ブロックと前記法面との間に砕石、栗石等の第２の中詰材が充填されいる下部擁壁と、
前記格子状枠構造体がその後方下端部が前記法面に隣接するように横方向には複数個、縦方向に複数段に配置され、その内側に砕石、栗石等の第２の中詰材が充填されいる上部擁壁とからなり、該上部擁壁は前記下部擁壁の上部に構築されていることを特徴とする擁壁。
【請求項７】
請求項６に記載の擁壁において、前記上部擁壁を構成している格子状枠構造体と前記法面との間にも第２の中詰材が充填されいることを特徴とする擁壁。
【発明の詳細な説明】
【技術分野】
【０００１】
本発明は、切土、盛土等の法面の崩落を防止するために、法面に沿って形成されている壁状の土木建造物すなわち擁壁を構築する方法および擁壁に関するものである。
【背景技術】
【０００２】
宅地の造成、道路の建設、鉄道の敷設等の土木工事においては、周囲よりも高い地盤を掘削する、いわゆる切土工事、地盤に土砂を盛り上げて高くする、いわゆる盛土工事等が実施される。切土、盛土等によって形成される急傾斜の法面は、降雨や地震によって崩落し易い。従って、このような法面には、壁状の土木構造物である擁壁が設けられて崩落が防止されている。また、擁壁の表面には所定の模様が施され、良好な景観が維持されるように努められている。このような擁壁には、工事現場において組まれた鉄筋にコンクリートを打設して法面に沿って一体的に形成するタイプもあるし、規格化された所定の形状の擁壁用ブロックを法面に沿って積み上げるタイプのものもある。後者のタイプの擁壁は、擁壁用ブロックが予め工場において製造される、いわゆるプレキャストコンクリート製であるので、安価にかつ容易に施工することができる。
【先行技術文献】
【特許文献】
【０００３】
【特許文献１】特開平１−２８０１２８号公報
【特許文献２】特許第３８２３０７５号公報
【特許文献３】米国特許第４７９７０２６号明細書
【０００４】
特許文献１には、色々な形状のプレキャストコンクリート製の擁壁用ブロックが記載され、同文献１の第１１図には、いわゆる箱型擁壁用ブロックあるいはビン型擁壁用ブロックが示されている。この擁壁用ブロックは、擁壁を構築するとき表面側に露出する略長方形状の表面部と、裏面側に隠れる略長方形状の背面部と、所定の間隔に配置され、表面部と背面部とを所定の間隔に接続している一対の繋ぎ部とから、全体が頂部と底部が開口した箱状を呈するように製造されている。このような擁壁用ブロックを法面に隣接して横方向に必要な個数だけ並べる。これらの並べた擁壁用ブロックの内部の空間や擁壁用ブロックと法面との間の空間に、砕石、栗石等を充填して、１段目の擁壁用ブロックの上端と同じ高さの水平面を形成し、１段目の擁壁を構築する。１段目の擁壁の上に、擁壁用ブロックを後方にずらして法面と隣接するように必要な個数だけ横方向に並べる。これらの擁壁用ブロックの内部の空間や擁壁用ブロックと法面との間にも、砕石、栗石等を充填して、２段目の擁壁を構築する。以下同様にして複数段からなる擁壁を構築することができる。図４には、後に詳しく説明するように、このようにして構築された擁壁の断面が示されている。
【０００５】
特許文献２には、背面部の高さが表面部の高さの略１／２になっていることを特徴とする擁壁用ブロックが記載されている。特許文献１に記載の擁壁用ブロックと同様にして擁壁を構築すると、比較的安定性の高い擁壁を得ることができる。
【０００６】
特許文献３には、可撓性樹脂材料からなる所定の厚さのシート状の格子状枠構造体が示されている。すなわち、このシート状の格子状枠構造体は複数本の帯が相互に内部結合され全体としてハニカム構造または網目構造を呈している。このような格子状枠構造体から擁壁を構築することも可能である。具体的には、格子状枠構造体を、その後端部が法面に隣接するようにして横方向に必要枚数並べて敷き、敷いた格子状枠構造体の内部に現場で得られた土砂、栗石等の中詰材を充填する。これにより、１層目の擁壁が構築される。次いで、１層目の擁壁の上に、必要枚数の格子状枠構造体を、その後端部が法面に沿うように法面側にずらして横方向に並べて敷き、その内部に中詰材を充填して２層目の擁壁を構築する。以下同様にして、法面に沿って複数層からなる擁壁を構築することができる。
【発明の概要】
【発明が解決しようとする課題】
【０００７】
特許文献１、２に記載の擁壁用ブロックによれば、比較的安定した擁壁を構築することはできる。また、特許文献３に記載の格子状枠構造体によっても、安価に擁壁を構築することはできる。しかしながら、解決すべき問題点も見受けられる。例えば、特許文献３に記載の格子状枠構造体から擁壁を構築する場合、十分な強度が得られないので、擁壁全体の高さは２〜３ｍ以内にしかすることができない。従って、特許文献３に記載の格子状枠構造体から構築される擁壁は、格子状枠構造体も中詰材も共に安価であるという利点を有してはいるが、高い擁壁を構築することができないので、構築可能な場所が限られてしまう。特許文献１、２に記載の擁壁用ブロックにも問題が認められる。これらの擁壁用ブロックの問題は、他の一般的な擁壁用ブロックにも共通しているが、一つには、擁壁用ブロックと、砕石、栗石等の中詰材が高価であるという問題が挙げられる。擁壁用ブロックも中詰材も高価であるので、高い擁壁を構築すると費用が嵩んでしまう。二つ目に、安定性の問題点を挙げることができる。一般的な擁壁用ブロックから構築された擁壁の安定性について説明する。
【０００８】
図４には、擁壁用ブロック５０、５０、…と、砕石、栗石等の中詰材５３、５３、…とからなり、法面５１に沿って構築された複数段からなる擁壁５２の断面が示されている。この擁壁５２の安定性は、例えば、法面５１において法面５１を構成している背面土５５が水平方向に流動しようとする圧力、すなわち土圧に対する耐性で評価することができる。背面土５５は、降雨時、地震時等に水平に対して所定の角度に傾斜した面において最大せん断応力が作用して滑りが生じ易くなっているので、土圧は、このような滑りが生じ易い面、いわゆるすべり面５６ａ、５６ｂ、…を考慮して評価することができる。そうすると、例えば、擁壁５２の最上段、すなわち４段目に対する土圧は、符号５７ａで示されている部分の背面土５５の重量に比例することになり、擁壁５２の最上段とその下の段、すなわち３段目と４段目に対する土圧は、符号５７ａと符号５７ｂで示されている部分の背面土５５の重量に比例することになる。そして、擁壁５２の全体に作用する土圧は、符号５７ａ、５７ｂ、５７ｃ、５７ｄで示されている部分の背面土５５の重量に比例することになる。このような土圧に対する耐性は、擁壁の各段の横方向（前方向）への滑りに対する摩擦力で与えられるので、擁壁の各段の重量、すなわち擁壁用ブロックと中詰材の重量が重要になる。そうすると、実質的に擁壁用ブロック５０、５０、…の奥行５９の長さに依存することになる。単純に擁壁用ブロック５０、５０、…の奥行５９を長くすれば土圧に対する耐性が向上することになり、高さの高い法面に対しても安定性の高い擁壁を構築することが可能になる。しかしながら、奥行５９を長くすると擁壁用ブロック５０、５０、…が大型になって、製造費と運搬費が共に高くなってしまうし、内部に充填される中詰材も大量に要するので、構築コストが嵩んでしまうことになる。
【０００９】
本発明は、上記したような問題点に鑑みてなされたもので、具体的には、擁壁用ブロックは小型で、砕石、栗石等の中詰材は少量であるにも拘わらず、高い擁壁であっても土圧に対して十分な耐性を有し、安定性の高い擁壁を安価に構築できる構築方法と、このような十分な耐性を有し、安定性の高い擁壁を提供することを目的としている。
【課題を解決するための手段】
【００１０】
本発明は、上記目的を達成するために、切土工事、盛土工事等により生じる法面に構築される擁壁を、プレキャストコンクリート製の擁壁用ブロックと、格子状枠構造体とから構築する。擁壁用ブロックは、構築されるとき表面側に露出する略長方形状の表面部と、構築されるとき裏面側に隠れる略長方形状の背面部と、所定の間隔に配置され表面部と背面部とを所定の間隔に接続している一対の繋ぎ部とから、全体が頂部と底部が開口した箱状を呈するように構成されている擁壁用ブロックである。格子状枠構造体は、可撓性樹脂材料からなる複数本の帯が相互に内部結合され全体としてハニカム構造または網目構造を呈している、所定の厚さのシート状の格子状枠構造体である。本発明によると、法面に隣接して格子状枠構造体を複数枚横方向に敷き、格子状枠構造体の内部に土砂、栗石等を充填して、１層の保護層を形成する。このような１層の保護層の上に格子状枠構造体を複数枚横方向に敷き、内部に土砂、栗石等を充填して、２層目の保護層を形成し、以下同様にして擁壁用ブロックの高さと同じ高さまで複数層の保護層を形成する。複数層の保護層の前方に隣接して擁壁用ブロックを横方向に複数個突き合わせ、前記複数個の擁壁用ブロックの内側に、これらの擁壁用ブロックの高さまで砕石、栗石等の中詰材を充填して、複数層の保護層と一体的に形成された１段目の擁壁を構築する。このような１段目の擁壁の上に、格子状枠構造体を法面に隣接して複数枚横方向に敷き、格子状枠構造体の内部に土砂、栗石等を充填して、１層の保護層を形成する。このような１層の保護層の上に格子状枠構造体を複数枚横方向に敷き、内部に土砂、栗石等を充填して、２層目の保護層を形成し、以下同様にして擁壁用ブロックの高さと同じ高さまで複数層の保護層を形成する。そして、複数層の保護層の前方に隣接して擁壁用ブロックを横方向に複数個突き合わせ、前記複数個の擁壁用ブロックの内側に、これらの擁壁用ブロックの高さまで砕石、栗石等の中詰材を充填して、複数層の保護層と一体的に形成された２段目の擁壁を構築する。以下同様にして複数段からなる擁壁を構築する。
【００１１】
他の発明は、保護層を格子状枠構造体に代えて、使用済みのタイヤから形成する。すなわち、法面に接するようにタイヤを敷き詰めて土砂、栗石等を充填して１層の保護層を形成し、１層の保護層の上にタイヤを敷き詰めて土砂、栗石等を充填して２層目の保護層を形成する。以下同様にして複数層からなる保護層を形成する。このようにして形成された複数層からなる保護層に隣接して、前記発明と同様にして、擁壁用ブロックを横方向に突き合わせ、中詰材を充填して擁壁を構築する。
さらに他の発明は、擁壁用ブロックから複数段の下部擁壁を構築して、下部擁壁の上に格子状枠構造体から複数層の上部擁壁を構築するように構成される。すなわち、擁壁用ブロックを、前記法面に隣接して横方向に複数個突き合わせ、内側にこれらの擁壁用ブロックの高さまで砕石、栗石等の中詰材を充填して１段目の下部擁壁を構築し、次いで、１段目の下部擁壁の上に、擁壁用ブロックを法面に沿うように法面側にずらして横方向に複数個突き合わせ、内側に、これらの擁壁用ブロックの高さまで中詰材を充填して２段目の下部擁壁を構築し、以下同様にして、法面に沿って複数段からなる下部擁壁を構築する。そして、格子状枠構造体を、下部擁壁の最上段に、法面に隣接するように横方向に複数枚並べて敷き、内部に土砂、栗石等の中詰材を充填して１層目の上部擁壁を構築し、その上に、格子状枠構造体を法面に沿うように法面側にずらして横方向に複数枚並べて敷き、内部にの中詰材を充填して２層目の上部擁壁を構築し、以下同様にして、法面に沿って複数層からなる上部擁壁を構築する。
【００１２】
かくして、請求項１記載の発明は、上記目的を達成するために、その上下面が開口したハニカム構造または網目構造を呈するように形成されている可撓性樹脂材料からなるシート状の格子状枠構造体と、その上下面が開口するように表面部と背面部とこれらの面部を繋いでいる繋ぎ部とから構成されているコンクリート製の擁壁用ブロックとを使用して、切土工事、盛土工事等の工事により生じる法面の崩落を防止する擁壁を構築する方法において、前記格子状枠構造体を、その後端部が前記法面に隣接するようにして前記法面に沿って横方向に必要な枚数だけ敷設し、その内部に土砂、栗石等の第１の中詰材を充填して１層目の保護層を形成し、前記１層目の保護層の上に整合するようにして前記格子状枠構造体を敷設し、その内部に前記第１の中詰材を充填して２層目の保護層を形成し、以下同様にして、前記擁壁用ブロックの高さと実質的に等しい高さになるように複数層の保護層を形成し、また、複数の保護層と前記法面との間の空間に前記第１の中詰材を充填して複数の保護層と背面側の中詰材とからなる第１段目の保護基礎を構築し、必要個数の前記擁壁用ブロックを、前記第１段目の保護基礎の前方に、これに隣接して横方向に順次突き合わせて敷設し、敷設した前記複数個の擁壁用ブロックの内側に、これらの擁壁用ブロックの高さまで砕石、栗石等の第２の中詰材を充填して擁壁基礎を構築し、前記保護基礎と擁壁基礎とにより１段目の擁壁を構成し、前記１段目の擁壁の上に、前記格子状枠構造体を、その後端部が前記法面に隣接するようにして前記法面に沿って横方向に必要な枚数だけ敷設し、その内部に土砂、栗石等の第１の中詰材を充填して１層目の保護層を形成し、形成されて前記１層目の保護層の上に整合するようにして前記格子状枠構造体を複数枚横方向に並べて敷き、その内部に前記第１の中詰材を充填して２層目の保護層を形成し、以下同様にして、前記擁壁用ブロックの高さと実質的に等しい高さになるように複数層の保護層を形成し、複数の保護層と前記法面との間の空間に前記第１の中詰材を充填して複数の保護層と背面側の中詰材とからなる第２段目の保護基礎を構築し、必要個数の前記擁壁用ブロックを、前記第２段目の保護基礎の前方に、これに隣接して横方向に順次突き合わせて敷設し、敷設した前記複数個の擁壁用ブロックの内側に、これらの擁壁用ブロックの高さまで砕石、栗石等の第２の中詰材を充填して擁壁基礎を構築し、前記保護基礎と擁壁基礎とにより２段目の擁壁を構成し、以下同様にして複数段の擁壁を構築するように構成される。
【００１３】
請求項２に記載の発明は、請求項１に記載の擁壁の構築方法において、請求項１に記載の格子状枠構造体に代えて使用済みのタイヤを使用するように構成される。請求項３に記載の発明は、その上下面が開口したハニカム構造または網目構造を呈するように形成されている可撓性樹脂材料からなるシート状の格子状枠構造体と、その上下面が開口するように表面部と背面部とこれらの面部を繋いでいる繋ぎ部とから構成されているコンクリート製の擁壁用ブロックとを使用して、切土工事、盛土工事等の工事により生じる法面の崩落を防止する擁壁を構築する方法において、必要個数の前記擁壁用ブロックを、その後方下端部が前記法面に隣接するようにして該法面に沿って横方向に敷設し、敷設した擁壁用ブロックの内側と、該擁壁用ブロックと法面との間に所定高さまで砕石、栗石等の第２の中詰材を充填して１段目の下部擁壁を構築し、次いで、前記１段目の下部擁壁の上に、必要個数の前記擁壁用ブロックを、その後方下端部が前記法面に隣接するよう後方へずらして該法面に沿って横方向に敷設し、敷設した擁壁用ブロックの内側と、該擁壁用ブロックと法面との間に所定高さまで砕石、栗石等の第２の中詰材を充填して２段目の下部擁壁を構築し、以下同様にして、前記法面に沿って複数段からなる下部擁壁を構築し、必要枚数の前記格子状枠構造体を、前記下部擁壁の最上段の下部擁壁の上に、その後端部が前記法面に隣接するようにして該法面に沿って横方向に並べて敷設し、その内部に土砂、栗石等の第１の中詰材を充填して１層目の上部擁壁を構築し、前記１層目の上部擁壁の上に、必要枚数の前記格子状枠構造体を、その下方後端部が前記法面に隣接するようにして該法面に沿って横方向に並べて敷設し、その内部に前記第１の中詰材を充填して２層目の上部擁壁を構築し、以下同様にして、前記法面に沿って複数層からなる上部擁壁を構築して、前記複数段からなる下部擁壁と前記複数層の上部擁壁とからなる擁壁を形成するように構成される。
【００１４】
請求項４に記載の発明は、その上下面が開口したハニカム構造または網目構造を呈するように形成されている可撓性樹脂材料からなるシート状の格子状枠構造体と、その上下面が開口するように表面部と背面部とこれらの面部を繋いでいる繋ぎ部とから構成されているコンクリート製の擁壁用ブロックとから構築されている擁壁であって、該擁壁は、前記格子状枠構造体がその後方下端部が前記法面に隣接して上下方向に整列した状態で複数個積み重ねられ、その内部および積み重ねられた格子状枠構造体と前記法面との間に土砂、栗石等の第１の中詰材が充填されている保護基礎と、前記擁壁用ブロックがその後端部が前記保護基礎の前方に隣接して敷設され、その内部に砕石、栗石等の第２の中詰材が充填されている擁壁基礎とからなる擁壁構造体が、前記法面に沿って横方向には前記保護基礎の後方下端部が前記法面に隣接するようにして複数個、縦方向には同様に隣接するようにして複数段に構築されている。請求項５に記載の発明は、請求項４に記載の擁壁において、前記保護基礎が請求項４の格子状枠構造体に代えて使用済みのタイヤにより構築されている。
【００１５】
請求項６に記載の発明は、その上下面が開口したハニカム構造または網目構造を呈するように形成されている可撓性樹脂材料からなるシート状の格子状枠構造体と、その上下面が開口するように表面部と背面部とこれらの面部を繋いでいる繋ぎ部とから構成されているコンクリート製の擁壁用ブロックとから構築されている擁壁であって、該擁壁は、前記擁壁用ブロックがその後方下端部が前記法面に隣接するようにして横方向には複数個、縦方向に複数段に配置され、その内側および前記擁壁用ブロックと前記法面との間に砕石、栗石等の第２の中詰材が充填されいる下部擁壁と、前記格子状枠構造体がその後方下端部が前記法面に隣接するように横方向には複数個、縦方向に複数段に配置され、その内側に砕石、栗石等の第２の中詰材が充填されいる上部擁壁とからなり、該上部擁壁は前記下部擁壁の上部に構築されている。請求項７に記載の発明は、請求項６に記載の擁壁において、前記上部擁壁を構成している格子状枠構造体と前記法面との間にも第２の中詰材が充填されるように構成される。
【発明の効果】
【００１６】
以上のように、本発明によると、格子状枠構造体と内部に充填されている土砂、栗石等の第１の中詰材からなる複数層の保護層が法面に接して形成され、擁壁用ブロックは、この複数層の保護層の前方に接して横方向に複数個突き合わされて、内部に砕石、栗石等の第２の中詰材が充填されているので、すなわち、擁壁用ブロックと法面との間には保護層が設けられているので、次の２つの作用によって擁壁の土圧に対する耐性が高くなっている。１つ目の作用あるいは効果は、保護層の奥行きの分だけ、擁壁用ブロックの奥行きが長くなったのと同じ効果が得られ、擁壁の重量が増して土圧に対する耐性が高くなっている。２つ目の効果は、背面土の内部に存在すると考えられる複数面のすべり面のうち、保護層によって一部が遮られているすべり面においては背面土のすべりが生じないので、擁壁用ブロックの近傍のすべり面において実質的に背面土のすべりが抑制されて、擁壁用ブロックに作用する土圧が緩和されることである。このように背面土からの土圧に対して十分な耐性を有するので、本発明に係る擁壁は、高くしても安定性を有する。さらには、格子状枠構造体は安価であると共に、格子状枠構造体に充填する土砂には現場の土砂を利用することができるので、保護層が設けられていない擁壁と比べても、構築コストの差はわずかであり、安価に擁壁を構築することができる。また、保護層を使用済みタイヤから形成する発明によると、廃棄するために処分費用を要する使用済みタイヤを使用するので、さらに構築コストが安価になるという効果があるし、使用済みタイヤを廃棄しないで再利用できるので、環境問題の解決に益することにもなる。また、擁壁用ブロックから構築されている複数段の下部擁壁と、下部擁壁の上に格子状枠構造体から構築されている複数層の上部擁壁とから構成されている擁壁の発明によると、擁壁の上部を安価な格子状枠構造体から構築することができるので、擁壁全体の構築コストが安価になるという効果が得られる。また、擁壁用ブロックは重機によって積み上げる必要があり、擁壁用ブロックを高所に積み上げるためには大型の重機が必要になってしまうが、上部擁壁は重機で積み上げる必要のない軽量の格子状枠構造体から構築することができるので、格別に大型の重機を要することもない。
【図面の簡単な説明】
【００１７】
【図１】本発明の実施の形態に係る擁壁用ブロックと、格子状枠構造体を模式的に示す斜視図である。
【図２】本発明の実施の形態に係る擁壁の構築方法の実施により構築された擁壁を模式的に示す側断面図である。
【図３】本発明の他の実施の形態に係る擁壁の構築方法の実施により構築された、他の擁壁を模式的に示す側断面図である。
【図４】従来の擁壁を模式的に示す側断面図である。
【発明を実施するための形態】
【００１８】
以下、本発明の実施の形態を説明する。本実施の形態に係る擁壁は、プレキャストコンクリート製の擁壁用ブロック１と、可撓性樹脂製の所定の格子状枠構造体１６とから構築される。初めに、擁壁用ブロック１の実施の形態について説明する。擁壁用ブロック１は、図１に示されているように、頂部と底部が開口した略箱状を呈する、いわゆる箱型擁壁用ブロックもしくはビン型擁壁用ブロックと呼ばれているタイプの擁壁用ブロックである。擁壁用ブロック１は、長方形のプレート状を呈する所定の厚さの表面部２と、同様に長方形のプレート状を呈する所定の厚さの背面部３と、表面部２と背面部３とを接合している所定の厚さの一対の繋ぎ部５、６とから一体的に製造されている。従って、表面部２と背面部３と一対の繋ぎ部５、６とにより、その内側に上下が開口した箱状の空間７が構成されている。この空間７に擁壁構築時に砕石、栗石等の中詰材が充填されるようになっている。表面部２と背面部３は、より詳しく説明すると、これらのそれぞれの左右の端縁から、あるいは突合部から所定の長さだけ内側に寄った位置において、一対の繋ぎ部５、６により一体的に接合されている。従って、表面部２と背面部３には、一対の繋ぎ部５、６の接続部よりも外方に突き出た部分、いわゆる耳９、１０、…が形成されている。この耳９、１０、…によって、隣り合う２個の擁壁用ブロック１、１の間にも、上下が開口した箱状の空間１１が構成されることになる。この箱状の空間１１にも中詰材が充填される。表面部２の左右の突合部には、所定の浅い切欠１２、１２、…が形成されている。これらの切欠１２、１２、…により、擁壁用ブロック１、１、…を横方向に突き合わせて並べたとき、隣り合う擁壁用ブロック１、１の突合部にスリット１３、１３が形成されることになる。これらのスリット１３、１３により、擁壁が構築されたとき、湧き水や擁壁内に溜まった雨水が排出される。擁壁用ブロック１の背面部３の横幅は、表面部２のそれよりもわずかに狭い。従って、突き合わされる２個の擁壁用ブロック１、１の背面部３、３の間に所定の遊びが生じる。この遊びによって、法面が湾曲していても表面部２、２、…の突合部に隙間が生じることなく擁壁用ブロック１、１、…を横方向に並べることが可能になる。このような擁壁用ブロック１の表面部２の前面には、所定の模様Ｍが施され、擁壁が構築されたときに、あたりの景観を損なわないように考慮されている。
【００１９】
次に、格子状枠構造体１６について説明する。格子状枠構造体１６は、テラセル（登録商標）として知られており、可撓性樹脂材料から形成されている。格子状枠構造体１６は、図１に示されているように、複数本の帯１７、１７、…から構成されている。帯１７、１７、…は、所定の幅、例えば約５〜２０ｃｍの幅で所定の厚さに形成され、帯１７、１７、…の表面には、透水用の小径の孔が多数明けられている。このような帯１７、１７、…が、幅方向に立てられた状態で所定の部分１９、１９、…において相互に結合され、図１に示されているように、平面的に見るとハニカム構造あるいは網目構造を呈するように形成されている。このように形成されている格子状枠構造体１６は、矢印２０、２０方向に伸縮させることができ、縮ませると帯１７、１７、…は全体として棒状を呈するようになり、伸張すると図１に示されているように、網の目構造のシート状を呈するようになる。格子状枠構造体１６の内部に形成されている空所２１、２１、…には、土砂、栗石等の第１の中詰材が充填されるようになっている。
【００２０】
擁壁用ブロック１と格子状枠構造体１６とから、本実施の第１の形態に係る擁壁２３を構築する構築方法を、図２も参照しながら説明する。図２の側断面図に示されているように、１段目の擁壁３０ａ用の格子状枠構造体１６を、その後端部が法面２４に接するようにして敷く。このとき、図２において紙面に垂直な方向、すなわち法面２４に対して横方向に必要な枚数の格子状枠構造体１６を敷く。そして、格子状枠構造体１６の内部の空所２１、２１、…に土砂、栗石等からなる第１の中詰材を充填して、１層目の保護層２６ａ１を形成する。第１の中詰材には、現場で採取された土砂を使用することができる。次いで、１層目の保護層２６ａ１の上に、同様にして２層目の格子状枠構造体１６を横方向に敷き、内部に第１の中詰材を充填して、２層目の保護層２６ａ２を形成する。以下同様にして、３層目、４層目、…の保護層２６ａ３、２６ａ４、…を形成して、複数層の保護層２６ａ１、２６ａ２、…の合計高さが、ちょうど擁壁用ブロック１の高さと実質的に等しい高さになるように形成する。１個の擁壁用ブロック１の高さと、複数個の格子状枠構造体１６、１６、…が略等しくなるように、擁壁用ブロック１と格子状枠構造体１６はあらかじめ製造されている。このようにして保護層を形成するとき、複数層の保護層２６ａ１、２６ａ２、…と法面２４の間の空所２７にも、第１の中詰材を充填する。これにより、保護基礎１６Ａが構築される。
【００２１】
次いで、保護基礎１６Ａの前方に、これらの保護層２６ａ１、２６ａ２、…に隣接して、必要な個数の１段目の擁壁用ブロック１、１、…を横方向に順次突き合わせて敷設する。突き合わせた１段目の擁壁用ブロック１、１、…の内部に、擁壁用ブロック１の高さまで、砕石、石栗等の第２の中詰材２９を充填する。これにより、擁壁基礎１Ａが構築される。前記保護基礎１６Ａと擁壁基礎１Ａとにより１段目の擁壁３０ａが構築される。
【００２２】
１段目の擁壁３０ａの上に、１層目の格子状枠構造体１６を必要な枚数だけ横方向に敷く。このとき、１層目の格子状枠構造体１６の後端部が法面２４に接するように敷く。第１の中詰材を充填して新たに１層目の保護層２６ｂ１を形成する。形成された１層目の保護層２６ｂ１の上に格子状枠構造体１６を整合状態で必要な枚数だけ横方向に敷き、内部に第１の中詰材を充填して、２層目の保護層２６ｂ２を形成する。同様にして、３層目、４層目、…の保護層２６ｂ３、２６ｂ４、…を形成して、複数層の保護層２６ｂ１、２６ｂ２、…の合計高さが、ちょうど２段目の擁壁用ブロック１の高さと実質的に等しい高さになるように構築する。このとき、複数層の保護層２６ｂ１、２６ｂ２、…と法面２４の間の空所２７にも、第１の中詰材を充填する。これにより、２段目の保護基礎が構築される。２段目の保護基礎の前方に隣接して、必要な個数の２段目の擁壁用ブロック１、１、…を横方向に突き合わせて敷設する。突き合わせた擁壁用ブロック１、１、…の内部に、擁壁用ブロック１の高さまで、第２の中詰材２９を充填する。そうすると、２段目の擁壁基礎が構築される。前記２段目の保護基礎と擁壁基礎とにより、２段目の擁壁３０ｂが形成される。以下同様にして、複数段、図示の実施の形態では４段からなる擁壁３０a〜３０ｄすなわち本実施の第１の形態に係る擁壁２３を構築する。
【００２３】
第１の形態に係る擁壁２３の作用について説明する。擁壁２３は、法面２４から背面土３２の土圧を水平方向に受ける。このような土圧は、水平に対して所定の角度に傾斜した仮想的な面、いわゆる従来周知の計算方法あるいは土質試験データにより得られるすべり面を考慮して評価することができる。図２には、背面土３２内の複数のすべり面３４ａ、３４ｂ、３４ｃ、３４ｄと、背面土３２の、それぞれのすべり面３４ａ、３４ｂ、３４ｃ、３４ｄによって区画された部分３５ａ、３５ｂ、３５ｃ、３５ｄが示されている。最上段の擁壁３０ｄすなわち図２において４段目の擁壁３０ｄには、符号３５ａで示されている部分の背面土３２の重量によって水平方向の土圧が作用する。同様にして、３段目と４段目の擁壁３０ｃ、３０ｄには、符号３５ａと符号３５ｂで示されている２箇所の部分の背面土３２の重量によって水平方向の土圧が作用し、擁壁２３全体には、符号３５ａ〜３５ｄで示されている部分の背面土３２の重量によって水平方向の土圧が作用する。本実施の形態に係る擁壁２３は、擁壁用ブロック１、１、…と第２の中詰材の重量と、複数層の保護層２６ａ１〜２６ｄ６の重量によって水平方向の土圧に十分に耐えることができる。また、図２において点線で示されているすべり面３６ａ、３６ｂ、３６ｃ、３６ｄは、複数層の保護層２６ｄ６〜、２６ａ１によって遮られているので、これらの面においては背面土３２は滑り難くなっており、土圧を考慮するときに、これらのすべり面３６ａ、３６ｂ、３６ｃ、３６ｄを考慮しなくて済む。これらの効果によって、本実施の形態に係る擁壁２３は、土圧に対して十分な耐性を有し、高さの高い擁壁を構築しても、安定することになる。
【００２４】
第２の実施の形態に係る擁壁は、第１の実施の形態の擁壁における複数層からなる保護層が、格子状枠構造体の代わりに使用済みのタイヤから形成されている点を除けば、第１の実施の形態の擁壁と実質的に同様に構築されている。第２の実施の形態に係る保護層は、法面に接するように必要な本数のタイヤを水平にして敷き詰め、これらの複数本のタイヤに第１の中詰材を充填して１層目の保護層を形成する。次いで、１層目の保護層の上に、同様に必要な本数のタイヤを水平にして敷き詰め、第１の中詰材を充填して２層目の保護層を形成する。このようにして、第１の実施の形態における保護層と同様に、複数層からなる保護層が形成されている。第２の実施の形態に係る擁壁も、複数層からなる保護層の作用によって第１の実施の形態に係る擁壁と実質的に同等の効果を奏することになり、背面土の土圧に対して十分な耐性を有する。
【００２５】
最後に、第３の実施の形態に係る擁壁３８について説明する。第３の実施の形態に係る擁壁３８は、図３に示されているように、複数段の擁壁用ブロック１、１、…からなる下部擁壁３９と、複数層の格子状枠構造体１６、１６、…からなる上部擁壁４０とから構成されている。下部擁壁３９の上部に上部擁壁４０が構築されている。第３の擁壁３８の構築方法を説明する。必要な個数の擁壁用ブロック１、１、…の下端部の後端部が法面２４に接するようにして横方向に順次突き合わせて敷設する。突き合わされた複数個の擁壁用ブロック１、１、…の内部および擁壁用ブロック１、１、…と法面２４との間に、擁壁用ブロック１の高さまで砕石、栗石等の第２の中詰材２９を充填する。そうすると、１段目の下部擁壁が得られる。１段目の下部擁壁の上に、必要な個数の擁壁用ブロック１、１、…を法面２４の方向にずらして、その後端部が法面２４に隣接するようにして横方向に順次突き合わせて敷設する。第２の中詰材２９を充填して２段目の下部擁壁を形成する。以下同様にして、複数段からなる下部擁壁３９を形成する。次に、下部擁壁３９の最上段の上に、その後端部が法面２４に接するようにして、必要な枚数の格子状枠構造体１６、１６、…を横方向に並べて敷く。敷設した格子状枠構造体１６、１６、…の内部に土砂、栗石等の第１の中詰材を充填して、１層目の上部擁壁を形成する。１層目の上部擁壁の上に、その後端部が法面２４に接するように後方へずらして、必要な枚数の格子状枠構造体１６、１６、…を横方向に敷いて、内部に第１の中詰材を充填して、２層目の上部擁壁を形成する。以下同様にして、複数層からなる上部擁壁４０を形成する。これにより、第３の実施の形態に係る擁壁３８が得られる。
【００２６】
第３の実施の形態に係る擁壁３８も、法面２４から背面土３２の土圧を受ける。このうち、上部擁壁４０が受ける土圧は、すべり面４２ａによって区画された符号４３ａの部分の背面土３２から受ける。この部分の背面土３２の重量は比較的小さいので、格子状枠構造体１６からなる上部擁壁４０であっても、土圧に対して十分耐えることができる。なお、第３の実施の形態に係る擁壁３８においては、上部擁壁４０の高さは３ｍ以内が好ましい。本実施の形態に係る擁壁３８においては、擁壁の上部が安価な格子状枠構造体と、現場の土砂等から構築することができるので、擁壁３８全体を安価に構築することができる。
【００２７】
本実施の形態に係る擁壁は、色々な変形が可能である。例えば、擁壁用ブロックには色々な形状のものが適用可能であり、特許文献２に記載の擁壁用ブロックを適用することができるし、いわゆる箱型擁壁用ブロックではなく、他の形状の擁壁用ブロックであっても適用することができる。また、複数層からなる保護層についても変形が可能である。すなわち、第１の実施の形態に係る擁壁においては、複数層からなる保護層と法面の間には、図２に示されているように空所２７、２７、…が形成されているように説明されているが、各層の格子状枠構造体の奥行き、換言すると幅を下層から上層に向かって幅広になるようにすれば、空所２７は形成されない。すなわち、各層の格子状枠構造体１６、１６、…の後端部が全て法面２４に接することになる。このように実施すると、複数層からなる保護層が法面２４と連続的に接することになるので、さらに擁壁の安定性が向上する。また、格子状枠構造体１６、１６、…を積み上げる毎に中詰材を充填する旨説明されているが、２〜３段毎にまとめて充填することもできる。このように充填しても、当業者には明らかなように、同様な効果が得られるので、このような充填方法も特許請求の範囲に含まれることになる。さらには、図３に関して、格子状枠構造体１６と法面２４との間は一般に狭いが、この狭い空間にも中詰材を充填するように実施することもできる。また、図１に示されているように、１個の格子状枠構造体の横方向の長さは、擁壁ブロックよりも一般に長いので、横方向に並べる個数は異なるが、そのような説明はされていない。
【符号の説明】
【００２８】
１      擁壁用ブロック          ２      表面部
３      背面部                  ７      空間
１６      格子状枠構造体        ２１      空所
２３      擁壁                  ２４      法面
２６      保護層                ２９      第２の中詰材
３２      背面土      ３４ａ、３４ｂ      すべり面
【図１】
2010275815.tif 000003
【図２】
2010275815.tif 000004
【図３】
2010275815.tif 000005
【図４】
2010275815.tif 000006
【手続補正書】
【提出日】平成21年6月9日(2009.6.9)
【手続補正１】
【補正対象書類名】図面
【補正対象項目名】全図
【補正方法】変更
【補正の内容】
【図１】
2010275815.tif 000007
【図２】
2010275815.tif 000008
【図３】
2010275815.tif 000009
【図４】
2010275815.tif 000010